(57)【特許請求の範囲】
【請求項１】
リール本体と、
前記リール本体に回転可能に支持されるスプールと、
前記スプールを回転させる電動のモータと、
前記モータから生じる発熱による温度を検出する温度検出手段と、
前記温度検出手段により検出された温度に基づいて、前記モータの使用可能範囲を調整する制御部と、
前記モータの使用可能範囲を、前記モータの回転速度を基準とする複数の段のうちの使用可能な段を示すことによって表示する表示部と、
を備えた電動リール。
【請求項２】
前記制御部は、前記モータに供給する電力の上限値を変更することによって、前記モータの使用可能範囲を調整する、請求項１に記載の電動リール。
【請求項３】
前記複数の段は、それぞれ前記モータに供給する電力の上限値を有している、請求項１又は２に記載の電動リール。
【請求項４】
前記表示部は、さらに前記モータの回転速度に基づく現在の段を示す、請求項１から３のいずれかに記載の電動リール。
【請求項５】
前記温度検出手段は、前記モータを駆動するモータ駆動用素子の温度を検出する、請求項１から４のいずれかに記載の電動リール。
【請求項６】
前記温度検出手段は、前記モータの温度を検出する、請求項１から４のいずれかに記載の電動リール。
【請求項７】
前記制御部は、前記温度検出手段により検出された温度が所定の上限温度を超えると、前記モータの駆動を止める、請求項１から６のいずれかに記載の電動リール。
【発明の詳細な説明】
【０００１】
【発明の属する技術分野】
本発明は、電動リール、特に、温度を検出し検出された温度に基づいてモータの使用可能範囲を調整する電動リールに関する。
【０００２】
【従来の技術】
釣り竿に装着されるリールとして、電動リールが知られている。電動リールは、釣り糸が巻き付けられるスプールをハンドル及びモータで回転させることが可能であり、釣り糸を所定の深さまで繰り出した後にモータオンスイッチを押せば、スプールがモータによって糸巻き取り方向に回転させられる。
【０００３】
この種の電動リールでは、対象となる魚によっては高負荷での連続運転が強いられることがあるため、スプール駆動用のモータや回路、モータ駆動用素子等の焼損を防止するための対策が重要となる。この対策のひとつが、特願平０８−２３３９９０号公報に示されている。ここでは、モータ駆動素子の温度等の検出により検出された電動モータの回転により生じる発熱に伴う温度に応じて、予め定められた電力範囲で電動モータが制御されている。具体的には、温度範囲により異なる最大デューティー比が設定されており、温度によってモータに供給される電力を制御して、モータ等の温度が上昇することを抑えている。
【０００４】
【発明が解決しようとする課題】
最近の電動リールでは、複数の段（１速、２速、…）が設けられ、釣り人が段を変更することによって所望の巻き上げ速度を得ることができるようにされたものが多くなっている。上記公報の例では、１〜３速では５０％、４〜６速では６５％、７，８速では８０％、９速では１００％の最大デューティー比が設定されている。そして、釣り人が視認できる表示部に速度表示部を設け、９つの変速段のうち現在の段がどこにあるかを釣り人に知らせるようにしている。
【０００５】
しかし、上記のように温度によって最大デューティー比が変化するため、温度が高くなった場合には、９つの変速段のうち幾つかの高速段は選択してもその変速段に見合った巻き上げ速度を維持できなくなる。すなわち、ある所定の温度を超えて最大デューティー比が５０％に制限された場合、６速や７速を選択したとしても、デューティー比を５０％までしか上げられないために選択した段に見合った巻き上げ速度まで増速できないことがある。このようなときには、釣り人からすれば、所望する変速段を選択しているにもかかわらず巻き上げ速度が速くならないということになり、原因がわからず困惑する。また、このときには、変速段の選択にかかわらず、釣り人が関知できない温度というファクターに対応する最大デューティー比によって巻き上げ速度が変動することになり、釣り人の意向が電動リールの巻き上げ速度に反映されなくなってしまう。
【０００６】
本発明の課題は、温度を監視してモータ等の焼損を抑える電動リールであって、釣り人に必要な情報を提供し釣り人の意向を反映させることができる電動リールを提供することにある。
【０００７】
【課題を解決するための手段】
発明１に係る電動リールは、リール本体と、スプールと、電動のモータと、温度検出手段と、制御部と、表示部とを備えている。スプールは、リール本体に回転可能に支持されている。モータは、スプールを回転させる。温度検出手段は、モータから生じる発熱による温度を検出する。制御部は、温度検出手段により検出された温度に基づいて、モータの使用可能範囲を調整する。表示部は、モータの使用可能範囲を、モータの回転速度を基準とする複数の段のうちの使用可能な段を示すことによって表示する。
【０００８】
ここでは、モータに供給する電力量等により決められるモータの使用可能範囲が温度検出手段による検出された温度を基に予め設定されており、制御部は温度に応じてモータの使用可能範囲を調整する。このため、温度が高くなるとモータの使用可能範囲が狭まり、モータやモータ駆動素子等の焼損を招くような過熱状態となることが抑えられる。
【０００９】
そして、温度が上がりモータの使用可能範囲が狭くなったことを知らせる、あるいは温度が下がってモータの使用可能範囲が広くなったことを知らせるために、このモータ使用可能範囲を表示部に表示するようにしている。すなわち、この電動リールはモータの回転速度を基準とする複数の段を有しており、表示部にはこれらの中で使用可能である段が示される。これにより、釣り人は現在使用できる段を認識することができ、これらの段の中から所望の巻き上げ速度に対応する段を選択することになる。
【００１０】
このように、温度監視によりモータ等を保護する電動リールにおいて、温度に基づいてモータの使用可能範囲が変わったときにそれを釣り人に知らせるようにしたため、釣り人がそれによって巻き上げ速度が上がらなくなっても混乱しなくなり、現在使用可能な範囲の中で巻き上げ速度を選ぶことから釣り人の意向が電動リールに反映されることになる。
【００１１】
発明２に係る電動リールは、発明１に記載の電動リールにおいて、制御部は、モータに供給する電力の上限値を変更することによって、モータの使用可能範囲を調整する。
【００１２】
ここでは、制御部は、温度検出手段により検出された温度に基づいて、モータに供給する電力の上限値を変更する。これにより、温度が高くなってきたときに上限値を制限していけば、モータ等が焼損する恐れがある状態には達し難くなり、できるだけ電動巻き上げを停止させずにモータ等の焼損を抑えることができる。
【００１３】
発明３に係る電動リールは、発明１又は２に記載の電動リールにおいて、複数の段は、それぞれ、モータに供給する電力の上限値を有している。
【００１４】
ここでは、複数の段のそれぞれが上限値を有しているため、温度によって使用可能な段の範囲を決めることが、温度によりモータに供給する電力の使用可能範囲を調整することになり得る。すなわち、温度に応じて使用可能な段の範囲を決めれば、温度に応じてモータに供給する電力の上限値が変わることになり、これによりモータの使用可能範囲が調整される。そして、使用可能な段の範囲を表示部に表示すれば、それがモータの使用可能範囲を表示することになる。
【００１５】
発明４に係る電動リールは、発明１から３のいずれかに記載の電動リールにおいて、表示部は、さらに現在の段を示す。現在の段は、モータの回転速度に基づくものである。
【００１６】
ここでは、表示部に、使用可能な段の表示に加えて、現在の段を表示する。これにより、釣り人は、現在の段と変更可能な段との両方を認識することができ、電動リールの電動巻き上げの状態を容易に把握することができる。
【００１７】
発明５に係る電動リールは、発明１から４のいずれかに記載の電動リールにおいて、温度検出手段は、モータを駆動するモータ駆動用素子の温度を検出する。
【００１８】
発明６に係る電動リールは、発明１から４のいずれかに記載の電動リールにおいて、温度検出手段は、モータの温度を検出する。
【００１９】
発明７に係る電動リールは、発明１から６のいずれかに記載の電動リールにおいて、制御部は、温度検出手段により検出された温度が所定の上限温度を超えたときに、モータの駆動を止める。
【００２０】
ここでは、所定の上限温度までは温度に応じてモータの使用可能範囲を調整することでモータ等が焼損することを抑え、所定の上限温度を超えた場合にはモータ等の焼損の恐れが極めて高いことからモータの駆動自体を完全に止める。このように制御しているため、電動巻き上げをできるだけ停止させずにモータ等の焼損を抑えることが可能となっている。
【００２１】
【発明の実施の形態】
＜全体構成＞
図１に示す本発明の一実施形態を採用した電動リールは、７段変速の電動リールであって、外見上は主として、リール本体１と、リール本体１の側方に配置されたスプール回転用のハンドル２と、ハンドル２のリール本体１側に配置されたドラグ調整用のスタードラグ３とを備えている。リール本体１の内部には、ハンドル２に連結されたスプール１０が、リール本体１に対して回転自在に支持されている。スプール１０の内部には、スプール１０を糸巻き上げ方向に回転駆動する直流駆動のモータ１２が配置されている。また、リール本体１の手前側側面には、ハンドル２及びモータ１２とスプール１０との駆動伝達をＯＮ／ＯＦＦするクラッチ（図示せず）の操作レバー１１が配置されている。
【００２２】
リール本体１の上部には、操作パネル４が一体に形成されている。操作パネル４には、図２に詳しく示すように、仕掛けの水深や２つの基準による棚位置等を表示するための液晶ディスプレイからなる表示部５と、表示部５の周囲に配置された各種の操作キーからなる操作部６とが設けられている。
【００２３】
表示部５には、表示モード（上からモードと底からモード）に応じて異なる水深を表示する水深表示部５ａと、各種のモードや動作状態を表示するためのモード表示部５ｂと、水底の水深を表示するための底メモ表示部５ｃと、表示モードに応じて上棚位置又は底棚位置を表示するための棚メモ表示部５ｄと、スプール１０の電動巻き上げの７つの変速段を表示するための速度表示部５ｅとが含まれている。
【００２４】
水深表示部５ａ、底メモ表示部５ｃ及び棚メモ表示部５ｄは、正負３桁で水深を表示可能である。モード表示部５ｂは、「上  から」と「底から」との２種の文字のいずれかで表示モードを画面上に表示する。ここで、上からモードとは、電動リールを基準とした水面からの仕掛けの水深を表示するモードであり、底からモードとは水底を基準とした水底から仕掛けまでの距離を表示するモードである。このため、上からモードは、「上もの」と呼ばれる魚を釣るときに好適であり、底からモードは「底もの」と呼ばれる魚を釣るときに好適である。
【００２５】
速度表示部５ｅは、図３の拡大図に示すように、現在の変速段ＳＣを釣り人に視認させるための段表示部１０１ａ，１０２ａ，…，１０７ａと、現在使用可能な変速段ＳＣの範囲を釣り人に視認させるための変速可能段表示部１０１ｂ，１０２ｂ，…，１０３ｂとから構成されている。変速可能段表示部１０１ｂ，１０２ｂ，…，１０３ｂは、段表示部１０１ａ，１０２ａ，…，１０７ａを囲うように配置されている。
【００２６】
操作部６には、図２に示すように、表示部５の右側に上下に並べて配置された増減速スイッチＳＫ及びパワーボタンＰＢと、左側に上下に並べて配置されたさそいボタンＩＢ、棚メモボタンＴＢ及び底メモボタンＳＢとが設けられている。増減速スイッチＳＫは、２つのスイッチからなるシーソー型のスイッチであり、上スイッチを押すと変速段が押している時間だけ徐々に高速側に移行し、下スイッチを押すと低速側に移行する。また、押すのを止めると増減速スイッチＳＫが中立位置に復帰して、そのときの変速段を維持する。パワーボタンＰＢは、モータ１２のＯＮ／ＯＦＦを行わせるためのボタンである。
【００２７】
さそいボタンＩＢは、仕掛けを棚近傍でさそい上げるさそいモードをセットしたり、さそい学習を行ったり、さそいモードを解除する際に使用されるボタンである。棚メモボタンＴＢは、上からモードのときの上棚位置や底からモードのときの底棚位置を設定するためのボタンである。なお、棚メモボタンＴＢを３秒以上押し続けると、水深表示が０セットされる。底メモボタンＳＢは、水底の水深を設定するためのボタンである。また、底メモボタンＳＢを３秒以上押し続けると、表示モードが上からモードあるいは底からモードに切り替わる。
【００２８】
また、操作パネル４の下面側には、各種警報音を出力するアラーム７（図４）が設けられている。
【００２９】
＜制御系の構成＞
この電動リールは、図４に示すような制御部２０を有している。制御部２０は、操作パネル４内に配置されたＣＰＵ，ＲＡＭ，ＲＯＭ，Ｉ／Ｏインターフェイス等を含むマイクロコンピュータを備えており、制御プログラムに従って後で説明する各種の制御動作を実行する。制御部２０には、操作部６の各種のボタン（スイッチ）と、スプール１０の回転方向及び回転数を検出するための１対のリードスイッチからなるスプール回転センサ２１と、温度センサ２４とが接続されている。温度センサ２４は、ＰＷＭ駆動回路２５に用いられるモータ駆動素子であるＦＥＴ２５ａの温度を検出することにより、モータ１２の温度を間接的に検出する。この温度センサ２４とは、制御部２０とともに操作パネル４内に配置されている。このように、操作パネル内に配置されたＦＥＴ２５ａの温度を検出することによりモータ１２の温度を検出しているため、操作パネル４外に配置されたモータ１２の温度を直接検出する構成に比べて、配線や防水構造が簡素になっている。
【００３０】
また、制御部２０には、アラーム７と、表示部５と、ＦＥＴ２５ａを用いたＰＷＭ駆動回路２５と、各種の制御データを記憶する不揮発メモリからなる記憶部２６と、読み出し部２８と、他の入出力部とが接続されている。また、ＰＷＭ駆動回路２５にはモータ１２が接続されている。
【００３１】
記憶部２６には、図５に示すように、棚位置等の表示データを記憶する表示データ記憶エリア３０と、実際の糸長とスプール回転数との関係を示す学習データを記憶する学習データ記憶エリア３１と、ＰＷＭ駆動回路２５で用いられる変速段に応じた最大デューティー比ＤＳＵ及びそれぞれの変速段に設定されている巻き上げ速度（実際にはモータ回転速度）を記憶するデューティーテーブル記憶エリア３２と、種々のデータを記憶するデータ記憶エリア３４とが設けられている。
【００３２】
デューティーテーブル記憶エリア３２には、例えば、低速側の段である１〜２速では５０％、３〜４速では７０％、５速では９０％、外部電源４０の供給電圧における最高速である６速及び昇圧状態の７速では１００％の最大デューティー比ＤＳＵが記憶されている。このように、変速段が高くなるに従って最大デューティー比ＤＳＵが大きくなるように設定されている。また、各変速段ＳＣそれぞれに設定されている巻き上げ速度も、このデューティーテーブル記憶エリア３３に記憶されている。ここでは、１速が４０ｍ／分、２速が５０ｍ／分、３速が６０ｍ／分、４速が７０ｍ／分、５速が８０ｍ／分、６速が９０ｍ／分、７速が１５０ｍ／分に巻き上げ速度が設定されている。
【００３３】
読み出し部２８（図４）には、実際にセットされたＰＷＭ駆動のデューティー比Ｄ、セットされた変速段ＳＣ、変速段ＳＣに対応してデューティーテーブル記憶エリア３３から読み出された最大デューティー比ＤＳＵ及び巻き上げ速度等が記憶される。また、温度センサ２４によって検出されるＦＥＴ２５ａの温度Ｔに応じてセットされる上限変速段ＳＣＵ（後述）も、この読み出し部２８に記憶される。
【００３４】
また、この電動リールは、制御部２０によって制御される切替部４１及び昇圧回路４２を内蔵している（図４参照）。切替部４１は、バッテリー等の外部電源４０からの供給電力をＰＷＭ駆動回路２５に送るルートを切り替える。具体的には、切替部４１は、制御部２０からの指令によって、外部電源４０の供給電圧をそのままＰＷＭ駆動回路２５に送るか、昇圧回路４２を介して供給電圧を昇圧してＰＷＭ駆動回路２５に送るかを切り替える。
【００３５】
＜電動リールの主な制御＞
次に、制御部２０によって行われる主な制御処理を図６〜図９に示す制御フローチャートに従って説明する。
【００３６】
電動リールに外部電源４０が接続されると、図６に示すステップＳ１において初期設定を行う。ここでは、水深表示を「０」にしたり、各種のフラグをリセットしたり、表示モードを上からモードに設定する。また、上限変速段ＳＣＵの初期値が７にセットされる。
【００３７】
ステップＳ２では、表示処理を行う。表示処理では、水深表示等の各種の表示を行う。ここで、上からモードのときには、水深表示部５ａに上からの水深が、底からモードのときには水底からの距離が表示される。また、棚位置がセットされると、上からモードのときには棚メモ表示部５ｄに上棚位置が、底からモードのときには底棚位置が表示される。
【００３８】
また、ステップＳ２においては、現在の変速段を表示することによる巻き上げ速度表示、及び現在使用可能な変速段を表示することによる使用可能速度表示も行われる。
【００３９】
巻き上げ速度表示では、変速段ＳＣに応じて表示が行われる。例えば、現在の変速段ＳＣが５速である場合には、図１１に示すように、段表示部１０１ａ，１０２ａ，１０３ａ，１０４ａ，１０５ａの５つを液晶表示させる。また、現在の変速段ＳＣが３速である場合には、図１２に示すように、段表示部１０１ａ，１０２ａ，１０３ａの３つを液晶表示させる。
【００４０】
使用可能速度表示では、後述する使用可能な最速の変速段である上限変速段ＳＣＵに応じて表示が行われる。例えば、現在の上限変速段ＳＣＵが最高速である７速の場合には、図１０及び図１１に示すように、７つの変速可能段表示部１０１ｂ，１０２ｂ，…，１０７ｂ全てを液晶表示させる。また、現在の上限変速段ＳＣＵが３速の場合には、図１２に示すように、３つの変速可能段表示部１０１ｂ，１０２ｂ，１０３ｂを液晶表示させる。上限変速段ＳＣＵが０に設定されている場合には、モータ１２等が過熱状態であってモータ１２の使用ができないことを表すために、図１３に示すように、使用可能な変速段は存在しないとして変速可能段表示部１０１ｂ，１０２ｂ，…，１０７ｂ全ての液晶表示をＯＦＦとする。
【００４１】
ステップＳ３では、操作部６の各種ボタンの操作によるキー入力がなされたか否かが判断される。ステップＳ３においてキー入力がなされると、ステップＳ８に移行し、図７に示すキー入力処理を行う。
【００４２】
ステップＳ４では、スプール１０が回転したか否かが判断される。この判断は、スプール回転センサ２１の出力により判断する。スプール１０が回転していると判断すれば、ステップＳ４からステップＳ９に移行し、各モード処理（棚アラーム処理、船べりアラーム処理など）を実行する。
【００４３】
ステップＳ５では、図８に示す変速段制限処理が行われる。ここでは、まずステップＳ６０で温度センサ２４が検出しているＦＥＴ２５ａの温度Ｔが読み出され、次にステップＳ６１〜Ｓ６７において、それぞれ所定の温度範囲に温度Ｔが属するか否かが判断される。そして、これらのいずれかに温度Ｔが属していれば、ステップＳ７１〜ステップＳ７７のいずれかにおいて、上限変速段ＳＣＵがセットし直される。この上限変速段ＳＣＵは、選択可能な変速段の中で最速の段を表す変数である。例えば、温度Ｔが５０゜未満であれば上限変速段ＳＣＵは７速に設定され、温度が７５゜以上８０゜未満であれば上限変速段ＳＣＵは１速に設定される。ステップＳ６８に移行すると、ここでは現在の変速段ＳＣが上限変速段ＳＣＵを超えているか否かが判断され、変速段ＳＣが上限変速段ＳＣＵを超えている場合には、ステップＳ７８において上限変速段ＳＣＵと一致させるように変速段ＳＣを落とす処理が為される。
【００４４】
ステップＳ６では、モータ１２がＯＮされているか否かが判断される。ＯＮされていると判断すれば、ステップＳ６からステップＳ１０に移行する。ステップＳ１０では、温度Ｔがモータ１２を使用し続けることのできる上限温度である８０゜以上となっているか否かが判断される。そして、温度Ｔが上限温度８０゜未満であればステップＳ１２に移行してモータ１１の増減速処理が行われ、温度Ｔが上限温度８０゜以上であればステップＳ１２に移行してモータ１２の停止処理が行われる。
【００４５】
ステップＳ７では、他の指令がなされたか否かを判断する。他の指令がなされるとステップＳ７からステップＳ１３に移行し、指令に応じた他の処理を行う。
【００４６】
ステップＳ１１の増減速処理では、デューティー比Ｄをアップ又はダウンさせて、モータ１２を増速又は減速させる。この処理では、スプール回転センサ２１により検出される現在のスプール１０の回転数と現在の変速段ＳＣに対応した巻き上げ速度とを比較して、両者を合わせるようにデューティー比Ｄを調整してスプール１０を回すモータ１２の回転を増減速させる。但し、そのときの変速段ＳＣに対応する最大デューティー比ＤＳＵを超えない範囲でデューティー比Ｄが調整される。また、この増減速処理においては、供給電圧が昇圧状態であるか否か、すなわち昇圧回路４２において外部電源４０の供給電圧を昇圧してＰＷＭ駆動回路２５に供給させているか否かが判断され、変速段が６速以下であるときに昇圧状態となっている場合には、切替部４１を切り替えて外部電源４０の供給電圧を昇圧しない状態でＰＷＭ駆動回路２５に供給させるようにする。
【００４７】
ステップＳ１２のモータ停止処理では、図９に示すように、まずステップＳ８０において、上限変速段ＳＣＵの値を０に設定する。これにより、ステップＳ２の表示処理において変速可能段表示部１０１ｂ，１０２ｂ，…，１０７ｂ全ての表示がＯＦＦとされる（図１３参照）ので、釣り人にモータ１２等が過熱状態であってモータ１２の使用ができないということを認識させることができる。そして、ステップＳ８１でモータ１２をＯＦＦさせる。
【００４８】
図７に示すステップＳ８のキー入力処理では、まずステップＳ２１でパワーボタンＰＢが押されたか否かを判断する。ステップＳ２２では増減速スイッチＳＫの上スイッチが押されたか否かを判断する。ステップＳ２３では増減速スイッチＳＫの下スイッチが押されたか否かを判断する。ステップＳ２４では、棚メモボタンＴＢが押されたか、底メモボタンＳＢが押されたか、底メモボタンＳＢの長時間（たとえば３秒以上）のキー入力がされたか、底メモボタンＳＢと棚メモボタンＴＢとの同時操作がされたか、さそいボタンＩＢのキー入力がされたか等の他のキー入力がなされたか否かを判断する。
【００４９】
ステップＳ２１においてパワーボタンＰＢが押されていると、ステップＳ３０に移行する。ステップＳ３０ではモータ１２がＯＮの状態であるか否かを判断する。モータ１２が既にＯＮしている場合にはステップＳ３１に移行しモータ１２を停止させる。モータ１２がＯＦＦの場合には、ステップＳ３２に移行して、温度センサ２４により検出されたＦＥＴ２５ａの温度Ｔが上限温度８０゜を超えているか否かが判断される。ここで、温度Ｔが上限温度８０゜を上回っている場合は、モータ１２等の焼損の恐れが解消されていないとして、モータ１２はＯＮされない。温度Ｔが上限温度８０゜を下回っている場合には、ステップＳ３３でモータ１２をＯＮさせる。なお、ステップＳ３３においてモータ１２がＯＮされると、最初変速段ＳＣは１速に設定され、１速の巻き上げ速度でモータ１２による電動巻き上げが開始される。
【００５０】
ステップＳ２２において増減速スイッチＳＫの上スイッチが押されると、ステップＳ４０に移行する。ステップＳ４０では、変速段ＳＣをアップさせる。このときの変速段ＳＣは読み出し部２８に記憶されるとともに、速度表示部５ｅに表示される。但し、既に変速段が最高速段である７速である場合には、変速段はアップされず、後述するステップＳ４１，Ｓ４２を飛ばしてステップＳ２３に移行する。ステップＳ４１では、変速段ＳＣが７速であるか否かを判断し、７速である場合には、ステップＳ４２で切替部４１を切り替えて、昇圧回路４２において外部電源４０の供給電圧を昇圧してＰＷＭ駆動回路２５に供給させる。
【００５１】
ステップＳ２３において増減速スイッチＳＫの下スイッチが押されると、ステップＳ４３に移行する。ステップＳ４３では、変速段ＳＣをダウンさせる。このときの変速段ＳＣも読み出し部２８に記憶されるとともに、速度表示部５ｅに表示される。但し、既に変速段が最低速段である１速である場合には、変速段はダウンされない。ステップＳ４４では、変速段ＳＣが６速であるか否かを判断し、６速である場合にはステップＳ４５で切替部４１を切り替えて外部電源４０の供給電圧を昇圧しない状態でＰＷＭ駆動回路２５に供給させる。
【００５２】
ステップＳ２４において他のキー入力がなされた場合には、ステップＳ４６に移行し、押されたキーに応じた他のキー入力処理を行う。たとえば、棚メモボタンＴＢが押されると、この時の水深を上棚位置として表示データ記憶エリア３０に記憶するとともに、水底の水深からそのときの水深を引いた値を底棚位置として表示データ記憶エリア３０に記憶する。また底メモボタンＳＢが押されると、この時の水深を水底の水深として表示データ記憶エリア３０に記憶する。底メモボタンＳＢが３秒以上押されると、表示モードが上からと底からとで切り換えられ、さそいボタンＩＢが押されると動作モードがさそいモードに切り換えられる。
【００５３】
＜電動リールの特徴＞
この電動リールでは、モータ１２やＦＥＴ２５ａ等の保護のためにＦＥＴ２５ａの温度Ｔを監視して、温度Ｔに応じて使用可能な変速段を制限することで最大デューティー比を変え、過熱により焼損しないようにモータ１２にかかる電力を調整している。また、温度Ｔに対応して使用可能な変速段を細かく設定しており（図８参照）、できるだけ電動巻き上げを停止させずに過熱を抑えるように工夫されている。
【００５４】
また、上記のような温度Ｔに応じ使用可能な変速段を制限している制御は、速度表示部５ｅの変速可能段表示部１０１ｂ，１０２ｂ，…，１０７ｂを見ることによって、釣り人が認識することができる。これにより、釣り人は、例えば温度が上がっていて巻き上げ速度をこれ以上速くすることができないだとか、温度が下がったので巻き上げ速度を７速まで上げることが可能であるだとかいう情報を得ることができる。すなわち、釣り人は今現在使用することのできるモータ１２の範囲を、選択可能な変速段という形で知ることができる。そして、釣り人は、この情報を得た上で現在可能な範囲において巻き上げ速度（変速段）を選ぶため、その釣り人の意向は電動リールの巻き上げ速度（モータ１２の回転速度）に反映されることになる。
【００５５】
例えば、図１０はモータ１２がＯＦＦされており電動巻き上げがされていないときの速度表示部５ｅの一状態図であるが、ここでは変速可能段表示部１０１ｂ，１０２ｂ，…，１０７ｂ全てが液晶表示されており、釣り人は全ての変速段（１速〜７速）が使用できることを視認できる。
【００５６】
図１１では、段表示部１０１ａ，１０２ａ，…，１０５ａの５つの液晶表示がされており、変速可能段表示部１０１ｂ，１０２ｂ，…，１０７ｂ全てが液晶表示されているため、釣り人は、現在５速で電動巻き上げを行っていて７速いっぱいまで増速が可能であることを視認できる。
【００５７】
図１２では、段表示部１０１ａ，１０２ａ，１０３ａの３つの液晶表示がされており、変速可能段表示部１０１ｂ，１０２ｂ，１０３ｂの３つが液晶表示されているため、釣り人は、現在３速で電動巻き上げを行っていて且つモータ１２等の保護のためにこれ以上増速できないことを視認できる。
【００５８】
図１３では、段表示部１０１ａ，１０２ａ，…，１０７ａが全て表示されておらず、変速可能段表示部１０１ｂ，１０２ｂ，…，１０７ｂが全て表示されていないため、釣り人は、現在電動巻き上げを行っておらず且つモータ１２等が過熱状態にあって電動巻き上げができない（モータ１２をＯＮさせることができない）ことを視認できる。
【００５９】
［他の実施形態］
（Ａ）ＦＥＴ２５ａの温度ではなくモータ１２の温度を直接検出するようにしてもよい。この場合には、配線や防水構造が上記実施形態に比べて複雑になる。
【００６０】
（Ｂ）モータは直流モータに限定されず、交流モータやステッピングモータを使用することもできる。
【００６１】
（Ｃ）温度検出手段としては、前述のようにモータ１２や駆動素子であるＦＥＴ２５ａの温度を直接検出するものの他、通電された時間間隔や電流量から現在の発熱量を推定させるようにしたものでもよい。
【００６２】
【発明の効果】
本発明では、温度に基づいてモータの使用可能範囲が変わったときにそれを表示部に表示して釣り人に知らせるようにしたため、釣り人が過熱によって巻き上げ速度が上がらなくなっても混乱しなくなり、現在使用可能な範囲の中で巻き上げ速度を選ぶことから釣り人の意向が電動リールに反映されることになる。
【図面の簡単な説明】
【図１】  本発明の一実施形態が採用された電動リールの平面図。
【図２】  操作パネルの平面拡大図。
【図３】  速度表示部周辺の拡大図。
【図４】  リールの制御ブロック図。
【図５】  記憶部のエリア構成を示す模式図。
【図６】  メインルーチンの処理内容を示すフローチャート。
【図７】  キー入力処理の内容を示すフローチャート。
【図８】  変速段制限処理の内容を示すフローチャート。
【図９】  モータ停止処理の内容を示すフローチャート。
【図１０】  速度表示部の表示状態図。
【図１１】  速度表示部の表示状態図。
【図１２】  速度表示部の表示状態図。
【図１３】  速度表示部の表示状態図。
【符号の説明】
１    リール本体
２    ハンドル
５    表示部
５ｅ  速度表示部
１０    スプール
１２    モータ
２０    制御部
２４    温度センサ（温度検出手段）
２５ａ    ＦＥＴ（モータ駆動用素子）
１０１ａ〜１０７ａ    段表示部
１０１ｂ〜１０７ｂ    変速可能段表示部
ＤＳＵ      最大デューティー比（電力の上限値）
ＳＣ    変速段（段）
ＳＣＵ    上限変速段
【図１】
0003964994.tif 000002
【図２】
0003964994.tif 000003
【図３】
0003964994.tif 000004
【図４】
0003964994.tif 000005
【図５】
0003964994.tif 000006
【図６】
0003964994.tif 000007
【図７】
0003964994.tif 000008
【図８】
0003964994.tif 000009
【図９】
0003964994.tif 000010
【図１０】
0003964994.tif 000011
【図１１】
0003964994.tif 000012
【図１２】
0003964994.tif 000013
【図１３】
0003964994.tif 000014